(57)【要約】【課題】胴綱のフックが誤って係止するのを防止できるようにする。【解決手段】本発明に係る装着道具１は、人の腰部に巻付ける腰ベルト５０と、端部にフック５５を有し、柱状物に巻付ける胴綱５３とを備えた装着具５に装着可能で、板状の本体部１０と、本体部１０の両端部それぞれに形成された一対の取付部１１とを備え、取付部１１には、挿通孔１１１が形成され、挿通孔１１１の板厚方向の寸法を、腰ベルト５０の厚みと同じまたは略同じ寸法となるように形成することで、胴綱５３のフック５５の誤係止を防止する。【選択図】図２
2019180846.tif 000002
【特許請求の範囲】
【請求項１】
人の腰部に巻付ける腰ベルトと、端部にフックを有し、柱状物に巻付ける胴綱と、前記腰ベルトが挿通され、前記胴綱のフックを係止可能な環状の係止環とを備えた装着具に装着可能に構成され、
前記腰ベルトを挿通可能な挿通孔が、該腰ベルトの挿通方向に離間して対向するように一対形成された装着本体部を備え、
該装着本体部は、板状の本体部と、該本体部の長さ方向両端部それぞれから、該本体部の板厚方向に立ち上がるように形成された一対の取付部とを備え、
前記挿通孔は、前記取付部に形成されており、該挿通孔の前記板厚方向の寸法は、前記腰ベルトの厚みと同じまたは略同じ寸法となるように形成されていることを特徴とする、胴綱と腰ベルトを含む装着具に装着可能な装着道具。
【請求項２】
前記取付部は、前記本体部に対して前記板厚方向で離間して平行配置される平部と、前記本体部の長さ方向端部と平部の端部とを連結すべく前記板厚方向に立ち上がる立上部とを備え、
前記挿通孔は、前記平部と前記立上部との接続境界を含むように前記平部の端部から前記立上部の端部にかけて形成されており、該立上部の端部に形成されている開口における前記板厚方向の寸法が、前記腰ベルトの厚みと同じまたは略同じ寸法となるように形成されていることを特徴とする請求項１に記載の、胴綱と腰ベルトを含む装着具に装着可能な装着道具。
【発明の詳細な説明】
【技術分野】
【０００１】
本発明は、胴綱と腰ベルトを含む装着具、例えば鉄塔や電柱などの柱上で作業する際に用いる安全帯に装着可能な装着道具に関する。
【背景技術】
【０００２】
従来より、図６に示すように、装着具としての安全帯５としては、作業者の腰部に巻付ける腰ベルト５０と、端部にフック５５を有し、柱状物に巻付ける胴綱５３と、前記腰ベルト５０が挿通され、前記胴綱５３のフック５５を係止可能な環状の係止環５２とを備えるものが公知である。上記構成の安全帯５を鉄塔や電柱などの柱状物の上（柱上）において使用する場合、作業者は、腰ベルト５０を自己の腰部に装着し、胴綱５３を柱状物に廻し掛けし、胴綱５３のフック５５を係止環５２に係止することより、柱状物での作業姿勢を確保している。
【０００３】
ところで、前記従来の安全帯５では、図７に示すように、腰ベルト５０が挿通されている一対の係止環５２，５２の間に、柱状物での作業に必要となる工具を吊下げるための工具ホルダー６が設けられることがある。該工具ホルダー６は、腰ベルト５０に挿通支持されることで腰ベルト５０に連結される環状の吊下げ部６０と、該吊下げ部６０に連結された、袋体からなる工具保持部６１とを備える。吊下げ部６０は、腰ベルト５０を挿通しやすくするために、腰ベルト５０の断面形状よりも大きい内径（遊びを有する内径）の挿通環状部であり、該挿通環状部の内部が腰ベルト５０を挿通する挿通口６００となっている。このため、胴綱５３のフック５５を係止環５２に係止させる際に、係止環５２ではなく、誤って挿通口６００に挿入して吊下げ部６０に係止させるという誤操作が生じてしまうことがある。
【０００４】
前記誤操作を防止する装着道具としての金具が特許文献１に提供されている。図８および図９に示すように、該金具７は、腰ベルト５０を挿通可能な通し孔７００が形成された平板状のベースプレート７０と、該ベースプレート７０に取付けられた工具を保持可能なＪ字状舌片部７１と、ベースプレート７０に対して支軸７２を介して回動可能に支持された跳ね上げ開放式のカバー７３とを備えている。このように構成された金具７は、前記Ｊ字状舌片部７１をカバー７３で覆うことで、該金具７への胴綱５３のフック５５の誤係止を防止できるとされている。
【先行技術文献】
【特許文献】
【０００５】
【特許文献１】特開２０１０−９９７７５号公報
【発明の概要】
【発明が解決しようとする課題】
【０００６】
ところが、前記従来の金具７では、ベースプレート７０に形成されている通し孔７００に、胴綱５３のフック５５を誤って係止させてしまう可能性があり、改善の余地がある。なお、かかる問題は、工具を吊るすような金具だけではなく、腰ベルトを挿通する通し孔が形成された装着道具全般に内在する問題である。
【０００７】
そこで、本発明は、胴綱のフックが誤って係止するのを防止できる、前記胴綱と腰ベルトを含む装着具に装着可能な装着道具を提供することを目的とする。
【課題を解決するための手段】
【０００８】
本発明の、胴綱と腰ベルトを含む装着具に装着可能な装着道具は、人の腰部に巻付ける腰ベルトと、端部にフックを有し、柱状物に巻付ける胴綱と、前記腰ベルトが挿通され、前記胴綱のフックを係止可能な環状の係止環とを備えた装着具に装着可能に構成され、  前記腰ベルトを挿通可能な挿通孔が、該腰ベルトの挿通方向に離間して対向するように一対形成された装着本体部を備え、該装着本体部は、板状の本体部と、該本体部の長さ方向両端部それぞれから、該本体部の板厚方向に立ち上がるように形成された一対の取付部とを備え、前記挿通孔は、前記取付部に形成されており、該挿通孔の前記板厚方向の寸法は、前記腰ベルトの厚みと同じまたは略同じ寸法となるように形成されていることを特徴とする。
【０００９】
上記構成を備えた装着道具では、一対の挿通孔に順に腰ベルトを挿通することで、本体部が腰ベルトの表面に面した状態で装着具に装着することができる。ここで、挿通孔は、その板厚方向の寸法（板厚方向の開口寸法）が腰ベルトの厚みと同じまたは略同じ寸法となっているので、腰ベルトと挿通孔を規定する開口端縁部との間が狭くなり、胴綱のフックを誤って係止させる隙間（遊び）が形成されることはない。よって、胴綱のフックによる装着道具への誤った係止を防止できる。
【００１０】
本発明においては、前記取付部は、前記本体部に対して前記板厚方向で離間して平行配置される平部と、前記本体部の長さ方向端部と平部の端部とを連結すべく前記板厚方向に立ち上がる立上部とを備え、前記挿通孔は、前記平部と前記立上部との接続境界を含むように前記平部の端部から前記立上部の端部にかけて形成されており、該立上部の端部に形成されている開口における前記板厚方向の寸法が、前記腰ベルトの厚みと同じまたは略同じ寸法となるように形成されている構成を採用することができる。
【００１１】
上記構成を備えた装着道具では、挿通孔が平部と立上部とにかけて形成されているため、平部に形成されている開口と立上部に形成されている開口とを利用して腰ベルトを挿通孔に対して容易に挿抜することができる。また、挿通孔のうち、立上部に形成される開口の前記板厚方向の寸法が、腰ベルトの厚みと同じまたは略同じとなるので、胴綱のフックを誤って挿通孔を介して装着金具へ係止してしまうことを防止できる。
【発明の効果】
【００１２】
本発明に係る、胴綱と腰ベルトを含む装着具に装着可能な装着道具によれば、胴綱のフックが誤って係止するのを防止することができる。
【図面の簡単な説明】
【００１３】
【図１】図１（ａ）は、本発明の一実施形態に係る、胴綱と腰ベルトを含む装着具に装着可能な装着道具としてのカバーを示した正面図。図１（ｂ）は、図１（ａ）の側面図。図１（ｃ）は、図１（ａ）の横断面図。
【図２】図２は、安全帯の腰ベルトに吊り下げた工具ホルダーの吊下げ部にカバーを装着した状態を示す正面図。
【図３】図３は、作業者の腰部に安全帯を装着した際の、吊下げ部にカバーを装着した様子を示した断面図。
【図４】図４（ａ），（ｂ）は、本発明の装着具の他の実施形態を示した図であり、フルハーネス型安全帯の腰ベルトにカバーを装着した状態を示す正面図。
【図５】図５（ａ），（ｂ）は、本発明の装着具の他の実施形態を示した図であり、図５（ａ）は、平面視コ字形状のカバーを示した断面図。図５（ｂ）は、立上部のみに挿通孔を形成したカバーを示した図。
【図６】図６は、安全帯を示した図。
【図７】図７は、安全帯の腰ベルトに工具ホルダーを吊り下げた状態を示した斜視図。
【図８】図８は、従来の金具を示した斜視図。
【図９】図９は、図８の金具におけるカバーを開いた状態の側面図。
【発明を実施するための形態】
【００１４】
本発明の実施形態に係る、胴綱と腰ベルトを含む装着具に装着可能な装着道具について説明する。はじめに、本発明の装着道具が装着される装着具としての安全帯について説明する。図６に示すように、該安全帯５は、人の腰部に巻付けて装着可能な長さを有する腰ベルト５０と、該腰ベルト５０がベルトループ５０ａを介して挿通された腰ベルト５０よりも幅広の腰当て５１と、該腰ベルト５０が挿通され、該腰ベルト５０の長さ方向に所定の間隔をおいて一対配置された係止環５２，５２と、腰ベルト５０に長さ調整器５４を介して連結され、端部に前記係止環５２に係止可能なフック５５を有する胴綱５３とを備える。腰ベルト５０における一対の係止環５２，５２の間の領域には、図７に示すように、柱上での作業に必要となる工具を吊下げるための工具ホルダー６が設けられる。該工具ホルダー６は、腰ベルト５０に吊下げ可能な環状の吊下げ部６０と、該吊下げ部６０に連結された袋体からなる工具保持部６１とを備える。吊下げ部６０は、腰ベルト５０を、その幅方向で囲うことができるように、環状に形成されており、該環状の内部開口（挿通環状部）が、腰ベルト５０を挿通するための挿通口６００となっている。
【００１５】
本発明に係る装着道具は、前記安全帯５のような人体の腰部に巻付けて装着する装着具に装着可能に構成されている。本実施形態では、図２に示すように、装着道具１は、安全帯５の腰ベルト５０に取り付けられた工具ホルダー６のカバーとして適用したものである。図１および図２に示すように、本実施形態に係るカバー１は、腰ベルト５０を挿通可能な挿通孔１１１が、該腰ベルト５０の挿通方向に離間して対向するように一対形成された装着本体部１Ａを備え、該装着本体部１Ａは、本体部１０と、該本体部１０の両端部から延出された一対の取付部１１，１１とを備える。本実施形態では、カバー１は、前記一対の取付部１１，１１が本体部１０の表裏方向（板厚方向）裏面側へ立ち上げられることで、前記裏面側に凹部１０ａが形成されており、腰ベルト５０に吊下げられた工具ホルダー６の吊下げ部６０を前記凹部１０ａ内に収容して覆う構成となっている。すなわち、カバー１が装着された腰ベルト５０には、係止環５２を除いて胴綱５３のフック５５の係止部位は形成されることがない。
【００１６】
本体部１０は、長さ方向および幅方向に所定の一定寸法を有する矩形の平板状に形成されており、工具ホルダー６の吊下げ部６０と略同一形状に形成され、吊下げ部６０の表面に配置される。本体部１０を吊下げ部６０と、略同一形状としているのは、例えば本体部１０が吊下げ部６０よりも小さい形状、または大きい形状であれば、吊下げ部６０が本体部１０からはみ出る、または本体部１０が吊下げ部からはみ出てしまい、このはみ出た部分に、胴綱５３のフック５５が誤って係止するかもしれないところ、吊下げ部６０と略同一形状の本体部１０を吊下げ部６０に配置することで、本体部１０と吊下げ部６０とにはみ出た部分が形成されることなく、本体部１０によって吊下げ部６０が覆われることになり、胴綱５３のフック５５の誤った係止を防止できる。要は、本体部１０の形状は、本体部１０と吊下げ部６０との間に、胴綱５３のフック５５が係止できない形状であればよい。
【００１７】
一対の取付部１１，１１は、図３に示すように、吊下げ部６０の挿通口６００を覆うべく、図１（ａ）〜（ｃ）に示すように、本体部１０の長さ方向両端部から延びる立上部１１０と、該立上部１１０の端部から前記長さ方向に沿って延びる平部１１２とを備える。
【００１８】
立上部１１０は、図１（ｃ）に示すように、本体部１０の長さ方向端部から本体部１０の厚み方向（表裏方向）のうち、本体部１０の裏面方向へ向けて立ち上げられて構成されており、裏面側に向けて長さ方向外向きに傾斜するように立ち上げられている。具体的に、本体部１０と立上部１１０とで形成される角部（接続部）Ｒ１が胴綱５３のフック５５の係止部位とならないよう、本体部１０と立上部１１０との裏面側のなす角度が鈍角となっている。また、立上部１１０は、図１（ａ）に示すように、本体部１０との接続側端部（一端部）において、本体部１０の幅方向寸法Ｈ１と同じ幅寸法を有し、他端部側（後述の平部１１２との接続側端部）ほど幅方向寸法Ｈ２が小さくなるように構成されている。
【００１９】
平部１１２は、図１（ｃ）に示すように、立上部１１０の他端部から長さ方向外向きに連設されており、本体部１０に対して表裏方向（板厚方向）裏側へ所定距離離間して該本体部１０と長さ方向が幅方向で平行な配置となっている。平部１１２は、図１（ａ）〜（ｃ）に示すように、立上部１１０の他端部との接続端部（一端部）が立上部１１０の他端部と接続されて接続境界を含む接続部（角部）Ｒ２を形成しており、平部１１２と立上部１１０との接続角度（前記接続部における裏面側の角度）が鈍角となっている。このように、平部１１２と立上部１１０との接続角度が鈍角であると、作業者が腰ベルト５０を装着した際の、前記角部Ｒ２による作業者の腰部Ｘへの押圧を緩和できる（図３参照）。
【００２０】
また、平部１１２は、図１（ａ）に示すように、その一端部における幅寸法Ｈ２が立上部１１０の他端部における幅寸法と略同じであり、他端部側ほどその幅寸法Ｈ３が小さくなっている。すなわち、立上部１１０と平部１１２とで構成される取付部１１は、本体部１０と接続している一端部（立上部１１０）ほど幅寸法Ｈ１が大きく（本体部１０の幅寸法と略同じ）、先端側の他端部側ほど幅寸法Ｈ３が小さくなっている。これにより、装着具としての安全帯５に装着した状態において、腰ベルト５０からのはみ出た部分を少なくでき、胴綱５３のフック５５の誤係止を有効に防止できる。
【００２１】
図１（ａ）〜（ｃ）に示すように、取付部１１には、腰ベルト５０を挿通するための挿通孔１１１が形成されている。該挿通孔１１１は、一方の取付部１１と他方の取付部１１に形成されており、厚み方向（表裏方向）において略同じ位置になるよう形成されている。よって、一対の挿通孔１１１，１１１は、長さ方向（腰ベルト５０が挿通される挿通方向）において対向配置されている。この挿通孔１１１は、立上部１１０に形成されており、本実施形態では、立上部１１０と平部１１２にかけて形成されている。よって、挿通孔１１１は、立上部１１０の他端部に形成される開口部１１１ａと、平部１１２の一端部に形成される開口部１１１ｂとが連通することで形成されている。よって、本実施形態の挿通孔１１１は、立上部１１０の開口１１１ａにおいて長さ方向に開口し、平部１１２の開口部１１１ｂによって、厚み方向（表裏方向）に開口している。
【００２２】
図１（ａ）〜（ｃ）に示すように、このような挿通孔１１１の内周面は、立上部１１０における開口形状面としての裏向内周面（裏面方向へ対向する面）１１１ｃを含み、その他、平部１１２における開口形成面としての内向内周面（長さ方向内側へ対向する面）１１１ｄを含む、閉じた面である。挿通孔１１１は、厚み方向（表裏方向）の寸法（開口寸法）Ｌが腰ベルト５０の厚みと同じ、または略同じ寸法となっている。この寸法Ｌは、図１（ｂ），（ｃ）に示すように、装着道具としてのカバー１を長さ方向から側面視した際に見える開口の厚み寸法である。具体的には、挿通孔１１１の厚み方向の寸法である立上部１１０に形成されている開口部における厚み方向の寸法Ｌが、腰ベルト５０の厚みと同じ、または略同じ寸法となっている。より詳細には、挿通孔１１１の厚み方向の寸法Ｌは、挿通孔１１１を規定する前記裏向内周面１１１ｃと平部１１２の表面との間の寸法である。
【００２３】
つぎに本実施形態に係るカバー１の使用方法について説明する。なお、本実施形態では、安全帯５を使用する柱状物は電柱とする。該電柱には、複数の電気機器が配置されており、該各電気機器に対する点検作業を柱上で行えるよう、作業者を昇降させるための複数の足場ボルトが、電柱の高さ方向に所定の間隔をおいて径方向外方に向かって突設されている。
【００２４】
はじめに作業者は、図２に示すように、腰ベルト５０に工具ホルダー６とカバー１とを装着する。具体的に、作業者は、カバー１の一方の取付部１１の挿通孔１１１に腰ベルト５０を挿通し、続けて、工具ホルダー６の吊下げ部６０の挿通口６００に腰ベルト５０を挿通する。つぎに作業者は、カバー１の他方の取付部１１の挿通孔１１１に腰ベルト５０を挿通する。これにより、図３に示すように、吊下げ部６０の表面側にカバー１の本体部１０が重合された状態でカバー１と吊下げ部６０と腰ベルト５０とが一体化され、吊下げ部６０の挿通口６００が一対の取付部１１,１１で覆われる。この際、平部１１２と立上部１１０との角部Ｒ２の角度が鈍角であることから、該角部Ｒ２による作業者の腰部Ｘへの押圧が緩和される。
【００２５】
この状態で、カバー１の本体部１０および一対の取付部１１，１１は、腰ベルト５０の裏面側から吊下げ部６０の表面および両側面を覆うので、吊下げ部６０とカバー１の本体部１０との間、および吊下げ部６０と一対の取付部１１，１１との間には、胴綱５３のフック５５が誤って係止することはない。
【００２６】
つぎに、作業者は、腰部に腰ベルト５０を巻き付けて装着する。装着時、胴綱５３の一方側のフック５５は、一方の係止環５２に係止させ、胴綱５３の他方側のフック５５は、他方の係止環５２に係止させておく。
【００２７】
つぎに作業者は電柱と対面する位置に立って、胴綱５３の一方側のフック５５を係止環５２から外して電柱に廻し掛けし、係止環５２に再度係止させる。
【００２８】
この際、挿通孔１１１の厚み方向寸法Ｌが腰ベルト５０の厚み寸法と同じ、または略同じ寸法であるので、フック５５が誤って挿通孔１１１に侵入して係止してしまうことを防止できる。また、本体部１０と立上部１１０との接続部（角部）Ｒ１の角度が鈍角であるため、フック５５が立上部１１０に誤って係止するのを防止できる。さらに、取付部１１は、本体部１０との接続端部よりも先端側ほど幅寸法Ｈ２が小さくなっているので、取付部１１が腰ベルト５０に対して幅方向で余分にはみ出ることを抑制でき、この点で、フック５５が誤って係止するのを防止している。
【００２９】
つぎに作業者は、適切な作業姿勢を維持できるように胴綱５３の長さを長さ調整器５４で調整する。すなわち電柱と作業者との間に作業スペースを確保する。つぎに作業者は電柱に胴綱５３の一方側を廻し掛けした状態で、足場ボルトを利用しつつ所望の高さまで電柱を昇柱する。
【００３０】
つぎに、作業者は、一方の足場ボルトに一方の足を載せつつ、他方の足場ボルトに他方の足を載せる。この状態で、作業者は、胴綱５３の長さを長さ調整器５４で再度調整して腰当て５１に自己の体重を預ける。これにより、作業者は、電柱に対し安定した作業姿勢をとれる。
【００３１】
以上説明したように、本実施形態に係るカバーは、胴綱５３のフック５５の誤った係止を確実に防止できる。
【００３２】
また、本実施形態では、本発明の装着道具を工具ホルダー６のカバー１として実施した場合について説明したが、例えば、作業者の肩部に装着する肩ベルトと、作業者の腰部に巻付けて装着するフルハーネス型安全帯に対して肩ベルトと腰ベルトとをつなぐ接続具として実施することも可能である。この場合、例えば、図４（ａ），（ｂ）に示すように、接続具４は、本体部４０と、取付部４１とを有し、本体部４０に肩ベルト４２の接続部４２０が接続可能な接続部４００を有する。具体的には、本体部４０の接続部４００は、本体部４０の幅方向上側の端部から突設された雄型接続部４０１である。肩ベルト４２の接続部４２０は、肩ベルト４２の端部に接続された雌型接続部４２１であって、前記雄型接続部４０１が挿し込み連結可能に構成された雌型接続部４２１である。
【００３３】
あるいは、本発明の装着道具は、工具ホルダーとして実施することも可能である。例えば、工具ホルダーとして、本体部の幅方向下端部から垂下するように工具保持部を設けてもよい。
【００３４】
このように、本発明の装着道具は、腰ベルト５０を挿通することで装着具に装着されるものであれば適用可能である。
【００３５】
なお、本発明は、前記各実施形態に限定されるものではなく、種々変更することができる。
【００３６】
前記実施形態では、本発明のカバー１は、取付部１１が立上部１１０と平部１１２とを備える場合を例示した。しかしながら、取付部は、立上部のみで構成してもよい。この場合、図５（ａ）に示すように、吊下げ部６０に重合される本体部２０と、該本体部２０の両端部から直交方向に延出される一対の取付部２１，２１とを備えた平面視コ字形状のカバー２とする。各取付部２１は、立上部２１０のみで構成されており、該立上部２１０の本体部２０とは反対側の端部寄りに、腰ベルト５０の挿通孔２１１が形成されている。要は、本発明の装着道具をカバーとして実施する場合には、カバーの形状は、工具ホルダー６の吊下げ部６０の表面に重合され且つ腰ベルト５０に連結可能で、該吊下げ部６０の挿通口６００を少なくとも覆うことのできる形状であればよい。
【００３７】
また、前記実施形態では、本発明のカバー１は、挿通孔１１１を立上部１１０から平部１１２にかけて形成した場合を例示した。しかしながら、図５（ｂ）に示すように、立上部３１０のみに挿通孔３１１を形成したカバー３であってもよい。図中の符号３１は取付部、３１２は平部である。
【符号の説明】
【００３８】
１，２，３，４…胴綱と腰ベルトを含む装着具に装着可能な装着道具、１Ａ…装着本体部、１０，２０，３０…本体部、１１，２１，３１…取付部、１１０，２１０，３１０…立上部、１１１，２１１，３１１…挿通孔、１１１ａ…立上部の他端部に形成される挿通孔の開口部、１１１ｂ…平部の一端部に形成される挿通孔の開口部、１１１ｃ…挿通孔の開口部の裏向内周面、１１１ｄ…挿通孔の開口部の内向内周面、１１２，２１２，３１２…平部、４０…本体部、４００…本体部の接続部、４０１…本体部の接続部の雄型接続部、４１…取付部、４２…肩ベルト、４２０…肩ベルトの接続部、４２１…肩ベルトの接続部の雌型接続部、５…安全帯、５０…腰ベルト、５１…腰当て、５２…係止環、５３…胴綱、５４…調整器、５５…フック、６…工具ホルダー、６０…吊下げ部、６００…挿通口、６１…工具保持部、７…金具、７０…ベースプレート、７００…通し孔、７１…Ｊ字状舌片部、７２…支軸、７３…カバー、Ｈ１…立上部の一端部の幅寸法、Ｈ２…立上部の他端部の幅寸法、Ｈ３…平部の他端部の幅寸法、Ｌ…挿通孔の厚み方向の開口寸法、Ｒ１…本体部と立上部とで形成される角部、Ｒ２…立上部と平部とで形成される角部
【図１】
2019180846.tif 000003
【図２】
2019180846.tif 000004
【図３】
2019180846.tif 000005
【図４】
2019180846.tif 000006
【図５】
2019180846.tif 000007
【図６】
2019180846.tif 000008
【図７】
2019180846.tif 000009
【図８】
2019180846.tif 000010
【図９】
2019180846.tif 000011
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
人の腰部に巻付ける腰ベルトと、端部にフックを有し、柱状物に巻付ける胴綱と、前記腰ベルトが挿通され、前記胴綱のフックを係止可能な環状の係止環とを備えた装着具に装着可能に構成され、
前記腰ベルトを挿通可能な挿通孔が、該腰ベルトの挿通方向に離間して対向するように一対形成された装着本体部を備え、
該装着本体部は、板状の本体部と、該本体部の長さ方向両端部それぞれから、該本体部の板厚方向に立ち上がるように形成された一対の取付部とを備え、
前記挿通孔は、前記取付部に形成されており、
該挿通孔の前記板厚方向の寸法は、前記腰ベルトの厚みと同じまたは略同じ寸法となるように形成され、
前記挿通孔を形成する内周面のうち、前記板厚方向において裏側に向けて形成される裏向内周面が前記取付部に形成されていることを特徴とする、胴綱と腰ベルトを含む装着具に装着可能な装着道具。
【請求項２】
前記取付部は、前記本体部の長さ方向端部から前記本体部の前記板厚方向における裏面側に延出し、且つ前記取付部自身の裏面と前記本体部の裏面とのなす角度が鈍角となるように形成された立上部を有する請求項１に記載の装着道具。
【請求項３】
前記取付部は、前記本体部に対して前記板厚方向で離間して平行配置される平部と、前記本体部の長さ方向端部と平部の端部とを連結すべく前記板厚方向に立ち上がる立上部とを備え、
前記挿通孔は、前記平部と前記立上部との接続境界を含むように前記平部の端部から前記立上部の端部にかけて形成されており、該立上部の端部に形成されている開口における前記板厚方向の寸法が、前記腰ベルトの厚みと同じまたは略同じ寸法となるように形成されていることを特徴とする請求項１又は２に記載の、胴綱と腰ベルトを含む装着具に装着可能な装着道具。
【手続補正２】
【補正対象書類名】明細書
【補正対象項目名】０００８
【補正方法】変更
【補正の内容】
【０００８】
本発明の、胴綱と腰ベルトを含む装着具に装着可能な装着道具は、人の腰部に巻付ける腰ベルトと、端部にフックを有し、柱状物に巻付ける胴綱と、前記腰ベルトが挿通され、前記胴綱のフックを係止可能な環状の係止環とを備えた装着具に装着可能に構成され、前記腰ベルトを挿通可能な挿通孔が、該腰ベルトの挿通方向に離間して対向するように一対形成された装着本体部を備え、該装着本体部は、板状の本体部と、該本体部の長さ方向両端部それぞれから、該本体部の板厚方向に立ち上がるように形成された一対の取付部とを備え、前記挿通孔は、前記取付部に形成されており、該挿通孔の前記板厚方向の寸法は、前記腰ベルトの厚みと同じまたは略同じ寸法となるように形成され、前記挿通孔を形成する内周面のうち、前記板厚方向において裏側に向けて形成される裏向内周面が前記取付部に形成されていることを特徴とする。
【手続補正３】
【補正対象書類名】明細書
【補正対象項目名】０００９
【補正方法】変更
【補正の内容】
【０００９】
上記構成を備えた装着道具では、一対の挿通孔に順に腰ベルトを挿通することで、本体部が腰ベルトの表面に面した状態で装着具に装着することができる。ここで、挿通孔は、その板厚方向の寸法（板厚方向の開口寸法）が腰ベルトの厚みと同じまたは略同じ寸法となっているので、腰ベルトと挿通孔を規定する開口端縁部との間が狭くなり、胴綱のフックを誤って係止させる隙間（遊び）が形成されることはない。よって、胴綱のフックによる装着道具への誤った係止を防止できる。
また、本発明において、前記取付部は、前記本体部の長さ方向端部から前記本体部の前記板厚方向における裏面側に延出し、且つ前記取付部自身の裏面と前記本体部の裏面とのなす角度が鈍角となるように形成された立上部を有するように構成されていてもよい。